(57)【要約】【課題】コードおよび光源を所望の位置で安定させ、自由な位置を確保できると共に、コードが切れにくく、かつコードが絡まずにコンパクトに収納・展開することができる照明装置を提供する。【解決手段】照明装置１は、電力を入力する入力部２と、入力部から供給された電力を流すコード３と、コードに適時間隔を持って配線された光源４と、コードを支持する支持部５と、コードを支持部の所望の位置に締結する複数の締結部材６とを備える。照明装置１を設置する場合、第１の支持部５ａと第２支持部５ｂとを有する一対の支持部が配置可能となる。支持部にコードが支えられているため、コードは、第１の支持部５ａと第２支持部５ｂを架橋することが可能となる。この架橋を安定化させるため、第１の支持部においては、第１の締結部材によりコードを締結させ、第２の支持部５ｂにおいては、第２の締結部材６ｂによりコードを締結させている。【選択図】図１
0003221571.tif 000002
【実用新案登録請求の範囲】
【請求項１】
電力を入力する入力部と、
供給された前記電力を流すコードと、
前記コードに配線され前記電力により点消灯する複数の光源と、
前記コードを所定の位置に配置可能とする支持部と、
前記支持部とコードを締結する締結部材と、を備え、
前記支持部は、少なくとも離間した一対の形態を取ることが可能であり、それぞれの前記支持部と前記コードを締結する少なくとも一対の前記締結部材により、前記コードが前記支持部間を架橋することを可能とする、
ことを特徴とする照明装置。
【請求項２】
前記支持部は、所定の硬さと変形自在な材料から形成されることを特徴とする請求項１に記載の照明装置。
【請求項３】
前記支持部は、一本の細長い線状を呈することを特徴とする請求項１または２に記載の照明装置。
【請求項４】
前記照明装置を設置する場合、前記支持部は、正面視三角形状を呈し、
前記コードは第１の締結部材と第２の締結部材により架橋され、
前記第１の締結部材と、前記第２の締結部材とは、前記三角形状の異なる辺に位置する、
ことを特徴とする請求項１〜３の何れか１項に記載の照明装置。
【請求項５】
前記三角形状は、上方に頂点が位置する二等辺三角形であり、
前記第１の締結部材が、長さが等しい２辺のうちの一方に位置し、前記第２の締結部材が、長さが等しい２辺のうちの他方に位置する、
ことを特徴とする請求項４に記載の照明装置。
【請求項６】
クリスマスツリー用照明装置であることを特徴とする請求項１〜６の何れか１項に記載の装飾装置。
【請求項７】
前記照明装置を設置する場合、前記支持部は、少なくとも１つの屈曲部を有する形状を呈することを特徴とする請求項１〜６の何れか１項に記載の照明装置。
【考案の詳細な説明】
【技術分野】
【０００１】
本考案は、イルミネーション等として利用される照明装置、特にクリスマス用照明装置に関する。
【背景技術】
【０００２】
クリスマスなどのイルミネーションとして、支持するための樹木等が無くても設置することができる縦長の照明装置が知られている。
例えば、非特許文献１には、複数のＬＥＤを電源コードに取り付け、上部からそのコードを吊り下げることで設置できるイルミネーションが開示されている。
【先行技術文献】
【特許文献】
【０００３】
【非特許文献１】Ｗｅｂかざり工房／イルミネーション／ドレーブライト、２０１９年２月１３日検索、アドレス：ｈｔｔｐ：／／ｗｗｗ．ｓａｎｐｏ．ｂｉｚ／ｌｃｄｏｒａｐｅｌｉｇｈｔ１．ｈｔｍ
【考案の概要】
【考案が解決しようとする課題】
【０００４】
しかしながら、非特許文献１のイルミネーションは、単に電源コードに複数の光源であるＬＥＤを取り付け、上部から吊り下げたものである。したがって、光源の点滅により、点滅効果で流れるようなイルミネーションとしての機能を果たしてはいるが、あくまで縦方向（垂直方向）に電源コードを配列したもので、意匠性が固定され、横方向等に配列する自由度がなく、また風などで電源コードが揺れ易く、取り付け場所が限定されるという問題点があった。
【０００５】
また、このようなイルミネーションでは、電源コードが長くなると重くなるため、飾り付けた際に電源コードに負荷がかかる。その結果、電源コードの切断が起こってしまうという問題点があった。
【０００６】
さらに、このようなイルミネーションでは、長い電源コードが複数必要となるため、収納・展開（飾り付け）の際に、電源コードが絡まってしまうことがあった。その結果、このようなイルミネーションは、収納・展開（飾り付け）しにくく、かつコンパクトに収納できないという問題点があった。
【０００７】
本考案は、上述した事情に鑑み、コードおよび光源を所望の位置で安定させ、自由な位置を確保できると共に、コードが切れにくく、かつコードが絡まずにコンパクトに収納・展開（飾り付け）することができる照明装置を提供することを目的とする。
【課題を解決するための手段】
【０００８】
本考案の考案者は、上述した問題点に関して鋭意研究を続けた結果、以下のような画期的な装飾装置を見出した。
【０００９】
上記課題を解決するための本考案の第１の態様は、電力を入力する入力部と、供給された電力を流すコードと、コードに配線され電力により点消灯する複数の光源と、コードを所定の位置に配置可能とする支持部と、支持部とコードを締結する締結部材と、を備え、支持部は、少なくとも離間した一対の形態を取ることが可能であり、それぞれの支持部とコードを締結する少なくとも一対の締結部材により、コードが支持部間を架橋することを可能とする、ことを特徴とする照明装置にある。
【００１０】
かかる第１の態様では、コードおよび光源が、支持部に対して締結部材により所望の位置に配置安定させることができるので、光源を単に一方向のみならず種々の方向に配置させることができる。また、支持部により風等の障害に対してもコードが切れにくく、屋外にも設置可能である。そして、設置時および収納時に、コードの絡みを抑制することができ、設置および収納が容易となる。さらに、支持部を基点としてコードおよび光源の配列が可能となるので、デザイン性を向上させることができる。
【００１１】
本考案の第２の態様は、支持部は、所定の硬さと変形自在な材料から形成される、ことを特徴とする第１の態様に記載の照明装置にある。
【００１２】
かかる第２の態様では、安定した形状で照明装置を配置することができる。その結果、照明装置の形状の選択幅が拡がり、デザイン性を向上させることができる。また、照明装置を短時間で所定の形状にすることができる。
【００１３】
本考案の第３の態様は、支持部は、一本の細長い線状を呈することを特徴とする第１または第２の態様に記載の照明装置にある。
【００１４】
かかる第３の態様では、より安定した配置形状が可能となる。その結果、配置形状の選択幅がより拡がり、さらなるデザインの向上を図ることができる。
【００１５】
本考案の第４の態様は、照明装置を設置する場合、支持部は、正面視三角形状を呈し、コードは第１の締結部材と第２の締結部材により架橋され、第１の締結部材と、第２の締結部材とは、三角形状の異なる辺に位置する、ことを特徴とする第１〜３の態様の何れか１つに記載の照明装置にある。
【００１６】
かかる第４の態様では、両側に広がるようにコードと光源が配置され、従来のイルミネーションでは不可能だった幅方向（横方向）への光源を配置させることができる。
【００１７】
本考案の第５の態様は、三角形状は、上方に頂点が位置する二等辺三角形であり、第１の締結部材が、長さが等しい２辺のうちの一方に位置し、第２の締結部材が、長さが等しい２辺のうちの他方に位置する、ことを特徴とする第４の態様に記載の照明装置にある。
【００１８】
かかる第５の態様では、均等の取れた配列ができ、安定した位置にあるコードと光源により、デザイン性を含むイルミネーション効果を向上させることができる。
【００１９】
本考案の第６の態様は、クリスマスツリー用照明装置であることを特徴とする第１〜第６の態様の何れか１つに記載の装飾装置にある。
【００２０】
かかる第６の態様では、優れたデザイン性を有し、イルミネーション効果の高いクリスマス用の照明装置を提供することができる。
【００２１】
本考案の第７の態様は、照明装置を設置する場合、支持部は、少なくとも１つの屈曲部を有する形状を呈することを特徴とする第１〜第６の態様の何れか１つに記載の照明装置にある。
【００２２】
かかる第７の態様では、立体的なデザインのイルミネーションも可能とし、よりデザイン性を向上させることができる。
【図面の簡単な説明】
【００２３】
【図１】実施形態１に係る照明装置を示す概略斜視図である。
【図２】実施形態２に係る支持部の設置状態を示す模式図であり、（ａ）支持部の初期形状、（ｂ）図１と同一の配置形状、（ｃ）他の配置形状、（ｄ）発展形状である。
【図３】実施形態２に係る支持部の設置状態を示す模式図である。
【図４】実施形態３に係る照明装置を示す概略斜視図である。
【考案を実施するための形態】
【００２４】
以下に添付図面を参照して、本考案に係る照明装置の実施形態を説明する。なお、本考案は、以下の実施形態に限定されるものではない。
（実施形態１）
【００２５】
図１は、本実施形態に係る照明装置の概略斜視図である。この図に示すように、照明装置１は、電力を入力する入力部２と、入力部２から供給された電力を流すコード３と、コード３に所定の間隔をあけて配置された光源４と、コード３を支持する支持部５と、コード３を支持部５の所望の位置に取り付ける複数の締結部材６とで構成されている。
【００２６】
入力部２は、外部の電源に接続するプラグ等の端子や直接電源となるバッテリー等であり、光源４に電力を供給することができるようになっている。
【００２７】
コード３は、一般的に電力を流す電気導通線であり、コード３上には所定の間隔（ランダム配列を含む）をあけて電気的に結合される光源４が複数配置されている。
【００２８】
光源４は、ＬＥＤ（ｌｉｇｈｔ  ｅｍｉｔｔｉｎｇ  ｄｉｏｄｅ）等の発光する一つの照明器具であり、豆電球や有機ＥＬ等のＥＬ（Ｅｌｅｃｔｒｏ  Ｌｕｍｉｎｅｓｃｅｎｃｅ）現象を用いた照明器具を用いることができる。また、光源４としてＬＥＤ等を用いた場合には、そのＬＥＤ等に制御部（図示しない）を電気的に接続することによって、発光色の変更、点灯、消灯、点灯時間および消灯時間等を自由に制御することができる。
【００２９】
ここで、制御部としては、ＬＥＤ等の色、発光タイミング、発光時間等を制御することができるものであれば特に限定されず、例えば市販のマイクロコンピュータ等を用いることができる。また、入力部が制御部を兼ねるように照明装置１を構成してもよい。
【００３０】
支持部５は、針金を束ねた金属製の線や樹脂からなる細長い線状（帯状、筒状の形状等も含む）を呈しており、所定の硬さと変形自在な材料から形成される。
【００３１】
ここで、「所定の硬さ」とは、支持部５にコード３を取り付けた状態において、容易に折れ曲がることが無く、かつ風等でコードが大きく揺れることもなく、取り付けられたコード３および光源４の位置関係が維持される強度を有していることを意味する。また、「変形自在」とは、支持部５が所望の形を作れるように柔軟性を備え変形可能であることを意味する。これにより、安定した形状で照明装置を配置することができる。その結果、照明装置１の形状の選択幅が拡がり、デザイン性を向上させることができる。また、照明装置を短時間で所定の形状にすることができる。
【００３２】
締結部材６は、支持部５に対してコード３の位置決めをする道具であり、コード３を所望の位置で支持部５に固定することができるものであれば特に限定されない。締結部材６としては、例えば、専用の器具を用意してもよく、バンドタイプ、テープ、紐等でもよい。また、光源４に締結部材６を備えさせ、光源４と支持部５の位置関係により、コード３が所望の位置に配置されるようにしてもよい。さらに、コード３を支持部５に直性巻き付けることで、コード３と支持部５とを締結可能であり、コード３も締結部材６の一つとすることもできる。
【００３３】
本実施形態では、支持部５として、一本のナイロン、塩化ビニル、ポリエチレン等の樹脂から形成される帯状のものを用いる。照明装置１を設置する場合、支持部５の先端同士を装飾品等の係合部７に係合させ、中央部が下方に向かって広がるように支持部を固定物（図示しない）に引っ掛ける等してもよい。このようにすることにより、支持部５が係合部７を頂点として正面視三角形状を呈するように照明装置１を配置することが可能となる。そして、この略三角形状の両辺が、支持部５が離間した一対の形態に相当することになる。
【００３４】
次に、本実施形態では、図１の左側に配置される支持部５を第１の支持部５ａとし、右側に配置される支持部５を第２支持部５ｂと定義する。第１の支持部５ａと第２支持部５ｂとは、支持部５が正面視三角形状を呈する場合、三角形状の異なる辺に位置することになる。
【００３５】
そして、支持部５にコード３が支持されているため、コード３は、第１の支持部５ａと第２支持部５ｂを架橋することが可能となる（図１ではジグザグ状に配線されている）。この架橋を安定化させるため、第１の支持部５ａにおいては、第１の締結部材６ａによりコード３を支持部５に締結させ、第２の支持部５ｂにおいては、第２の締結部材６ｂによりコード３を支持部５に締結させている。
【００３６】
照明装置１が、三角形状を呈する場合、第１の締結部材６ａと、第２の締結部材６ｂとは、この三角形状の異なる辺に位置する。このように下方に向かって両側に広がるようにコード３と光源４が配置されるので、架橋されたコード３および光源４が安定した配置となる。また、この三角形状が、上方に頂点が位置する二等辺三角形を成す場合、第１の締結部材６ａが、長さが等しい２辺のうちの一方に位置し、第２の締結部材６ｂが、長さが等しい２辺のうちの他方に位置する。支持部５をこのような形状にすることによって、光源４を均等の取れた配列をすることができる。また、安定した位置にコード３と光源４を配置させることができるので、イルミネーション効果を向上させることができる。
【００３７】
さらに、コード３を支持部５ａ、５ｂ間に架橋させることにより、コード３を支持する樹木等の固定物がない空間であっても、立体的なコード３と光源４の配置が可能となる。その結果、イルミネーション効果が向上し、光源４の種々のデザイン配列が可能となる。そして、光源４の色、点滅状態を変えることにより、優れたイルミネーション効果を発揮させることができる。また、コード３が支持部５に支持されていることにより、照明装置１の設置および収納時に、コード３の絡みを抑制できるので、容易に照明装置１の設置および収納が可能となる。
【００３８】
このように照明装置１を構成することにより、コードおよび光源を、支持部に対して締結部材により所望の位置に配置安定させることができるので、光源を単に一方向のみならず種々の方向に配置させることができる。また、支持部５により風等の障害に対してもコードが切れにくく、屋外にも設置可能である。そして、設置時および収納時に、コードの絡みを抑制することができるので、照明装置１の設置および収納が容易となる。さらに、支持部を基点としてコードおよび光源の配列が可能となるので、デザイン性を向上させることができる。
（実施形態２）
【００３９】
実施形態１では、支持部の先端同士を装飾品等の係合部に係合させ、中央部を広げることにより、係合部を頂点として正面視三角形状を呈するような照明装置の形状にしたが、本考案はこれに限定されない。
【００４０】
図２は、支持部の様々な設置状態を示す模式図である。図２（ａ）は、支持部５の両端を装飾品等の係合部７に係合する前の支持部５の形状であり、図２（ｂ）は、両端を装飾品等の係合部７に係合し、中央部分を広げた状態の支持部５の形状を示している。図２（ｃ）は、中央部分を起点とし、両端を広げた状態の支持部５の形状を示している。そして、図２（ｄ）は、一端を広げ、途中で折り曲げ、さらに中間部分を広げ、他端を折り曲げた部分に合わせた状態の支持部５の形状を示している。図２（ｄ）に示すように、一本の支持部５により設置形状は選択可能であり、複数の三角形、四角形、台形、円形、等、デザインの自由度を高めることが可能である。このような形状の支持部を用いても、実施形態１と同様の効果が得られる。
【００４１】
また、図３に示すように、支持部５の一方の端部を他方の端部に接続して、支持部５を環状にしてもよい。このような形状の支持部を用いても、実施形態１と同様の効果が得られ、加えてコードの絡みをより抑制することができる。
（実施形態３）
上述した実施形態では、支持部およびコードが同一平面状に配置されるような照明装置の形状にしたが、本考案はこれに限定されない。
【００４２】
例えば、図４に示すように、３つの棒状部材１００ａ〜１００ｃによって形成された三角錐（固定物）の３つの三角形状面のうち、三角状面１１０ａおよび三角状面１１０ｂの表面を覆うように照明装置１Ａを配置してもよい。
【００４３】
照明装置１Ａをこのような立体的な形状とすること、すなわち照明装置１Ａを屈曲部がある形状とすることより、立体的でよりデザイン性の高いイルミネーションを提供することができる。なお、固定物の形状は特に限定されず、立方体、四角錐、不定形等の形状であってもよい。
（他の実施形態）
【００４４】
上述した実施形態の照明装置は、クリスマスツリー用照明装置である。これにより、優れたデザイン性を有し、イルミネーション効果の高いクリスマス用の照明装置を提供することができる。
【００４５】
また、上述した実施形態１では、支持部を三角形になるように照明装置を設置したが、本考案はこれに限定されない。例えば、支持部を四角形状や文字状等の様々な形状になるように設置してもよいのは言うまでもない。
【００４６】
さらに、支持部材に、疑似枝等の装飾品を取り付けてもよい。このような装飾品を取り付けることにより、より装飾性の高いデザインのイルミネーションを提供することができ、特にクリスマス用のイルミネーションに最適である。
【００４７】
なお、本考案は、上述した実施形態に限定されるものではなく、適宜、変形、改良、等が可能である。その他、上述した実施形態における各構成要素の材質、形状、寸法、数値、形態、数、配置箇所、等は本考案を達成できるものであれば任意であり、限定されない。
【産業上の利用可能性】
【００４８】
本考案の照明装置は、コードおよび光源の配列が自由に設定でき、コードおよび光源の所望の位置が安定的であることを望む分野に最適である。
【符号の説明】
【００４９】
１、１Ａ  照明装置
２  入力部
３  コード
４  光源
５  支持部
５ａ  第１の支持部
５ｂ  第２の支持部
６  締結部材
６ａ  第１の締結部材
６ｂ  第２の締結部材
７  係合部
１００ａ、１００ｂ、１００ｃ  棒状部材
１１０ａ、１１０ｂ  三角状面
【図１】
0003221571.tif 000003
【図２】
0003221571.tif 000004
【図３】
0003221571.tif 000005
【図４】
0003221571.tif 000006
【手続補正書】
【提出日】平成31年4月1日(2019.4.1)
【手続補正１】
【補正対象書類名】実用新案登録請求の範囲
【補正対象項目名】全文
【補正方法】変更
【補正の内容】
【実用新案登録請求の範囲】
【請求項１】
電力を入力する入力部と、
供給された前記電力を流すコードと、
前記コードに配線され前記電力により点消灯する複数の光源と、
前記コードを所定の位置に配置可能とする支持部と、
前記支持部とコードを締結する締結部材と、を備え、
前記支持部は、少なくとも離間した一対の形態を取ることが可能であり、それぞれの前記支持部と前記コードを締結する少なくとも一対の前記締結部材により、前記コードが前記支持部間を架橋することを可能とする、
ことを特徴とする照明装置。
【請求項２】
前記支持部は、所定の硬さと変形自在な材料から形成されることを特徴とする請求項１に記載の照明装置。
【請求項３】
前記支持部は、一本の細長い線状を呈することを特徴とする請求項１または２に記載の照明装置。
【請求項４】
前記照明装置を設置する場合、前記支持部は、正面視で三角形状を呈し、
前記コードは第１の締結部材と第２の締結部材により架橋され、
前記第１の締結部材と、前記第２の締結部材とは、前記三角形状の異なる辺に位置する、
ことを特徴とする請求項１〜３の何れか１項に記載の照明装置。
【請求項５】
前記三角形状は、上方に頂点が位置する二等辺三角形であり、
前記第１の締結部材が、長さが等しい２辺のうちの一方に位置し、前記第２の締結部材が、長さが等しい２辺のうちの他方に位置する、
ことを特徴とする請求項４に記載の照明装置。
【請求項６】
クリスマスツリー用照明装置であることを特徴とする請求項１〜５の何れか１項に記載の装飾装置。
【請求項７】
前記照明装置を設置する場合、前記支持部は、少なくとも１つの屈曲部を有する形状を呈することを特徴とする請求項１〜６の何れか１項に記載の照明装置。